(57)【特許請求の範囲】
【請求項１】
大型磁気ディスクカートリッジと外形寸法が略一致し、フレキシブルな小型磁気ディスクメディアを内蔵した小型磁気ディスクカートリッジを着脱可能に収納保持する収納部を有するアダプターであって、
前記アダプターは、収納した前記小型磁気ディスクカートリッジのセンターコア孔に対応する位置に、前記大型磁気ディスクカートリッジが装填される磁気ディスクドライブ装置の回転駆動部材が挿入可能な第１の開口部を有し、収納した前記小型磁気ディスクカートリッジの磁気ヘッド挿入窓部に対応する位置に、前記磁気ディスクドライブ装置に設けられた磁気ヘッドが挿入可能な第２の開口部を有し、
前記アダプターに小型磁気ディスクカートリッジを収納保持した状態で、該アダプターの基準面から小型磁気ディスクメディアの記録面までの距離を、前記大型磁気ディスクカートリッジの基準面から大型磁気ディスクメディアの記録面までの距離と等しく設定し、さらに、前記アダプターの基準面から小型磁気ディスクメディアのセンターコアチャッキング面までの距離を、前記大型磁気ディスクカートリッジの基準面から大型磁気ディスクメディアのセンターコアチャッキング面までの距離と等しく設定したことを特徴とする磁気ディスクカートリッジ用アダプター。
【発明の詳細な説明】
【０００１】
【発明の属する技術分野】
本発明は、小型磁気ディスクメディアを内蔵した小型磁気ディスクカートリッジを、これより大きな大型磁気ディスクメディアを内蔵した大型磁気ディスクカートリッジ駆動用の磁気ディスクドライブ装置に装填してその磁気ヘッドにより小型磁気ディスクメディアに直接記録再生を可能とする磁気ディスクカートリッジ用アダプターに関するものである。
【０００２】
【従来の技術】
従来より、フレキシブルなポリエステルシート等からなる円盤状のベースの両面に磁性体層が形成され、回転駆動されながら磁気ヘッドにより上記磁性体層に磁気記録がなされる磁気ディスクメディア（いわゆるフロッピー・ディスク）を扁平ケース内に収容した磁気ディスクカートリッジが提供され、その取扱いの容易性、低コストといった利点から、主としてコンピュータ用の記録媒体として用いられている。
【０００３】
また、上記磁気ディスクカートリッジには、磁気記録再生のための磁気ヘッドが磁気ディスクメディアの片面または両面に外部から接触もしくは近接するため出し入れされる磁気ヘッド挿入窓部が設けられ、さらにこの窓部には不使用時における塵埃等の侵入を防止するための開閉シャッター部材が設けられている。
【０００４】
ところで、上記のような磁気ディスクカートリッジによる記録媒体は、コンピュータに限らずデジタルカメラ等の各種小型機器（小型システム）にも使用され、画像情報等を記録するのが好適であり、この小型システム用のものにおいては小型化した磁気ディスクカートリッジが望まれている。このような小型磁気ディスクカートリッジの出現によってデジタルカメラ等のコンパクト化、普及が促進される。
【０００５】
また、汎用されている磁気ディスクカートリッジすなわち大型磁気ディスクカートリッジにおいては、その記録方式および磁気ディスクメディアの改良により記録容量の増大が図られ、この技術を応用すれば磁気ディスクカートリッジの小型化が実現可能であるが、この小型磁気ディスクカートリッジではそれ専用に設定された小型磁気ディスクドライブ装置でしか記録再生が行えないことになる。
【０００６】
一方、例えばデジタルカメラで撮影記録された画像情報等をコンピュータで加工処理する場合、小型磁気ディスクカートリッジがコンピュータの磁気ディスクドライブ装置に装填できないときには、一般にコンピュータとデジタルカメラ等の小型システムとをケーブルで接続し、記録情報をコンピュータ側に転送するなどの処理を行わなければならない。しかし、このようなケーブルを接続しての情報の転送作業等は煩雑で面倒である。
【０００７】
【発明が解決しようとする課題】
そこで、本発明では、上記のような小型磁気ディスクカートリッジを、汎用されている大型磁気ディスクカートリッジ用の磁気ディスクドライブ装置において直接に磁気記録再生が行えるように、大型磁気ディスクカートリッジと形態が同一のアダプターによって小型磁気ディスクカートリッジを収納保持し大型用の磁気ディスクドライブ装置に装填可能として操作性等を簡易化して迅速な情報の転送が行えるようにせんとするものである。
【０００８】
また、上記のようなアダプターに収納した小型磁気ディスクカートリッジの磁気ディスクメディアに対し磁気ヘッドが安定して近接作動できるように構成せんとするものである。
【０００９】
【課題を解決するための手段】
上記課題を解決した本発明の磁気ディスクカートリッジ用アダプターは、大型磁気ディスクカートリッジと外形寸法が略一致すると共に、フレキシブルな小型磁気ディスクメディアを内蔵した小型磁気ディスクカートリッジを着脱可能に収納保持する収納部を有し、このアダプターは、収納した前記小型磁気ディスクカートリッジのセンターコア孔に対応する位置に、前記大型磁気ディスクカートリッジが装填される磁気ディスクドライブ装置の回転駆動部材が挿入可能な第１の開口部を有し、収納した前記小型磁気ディスクカートリッジの磁気ヘッド挿入窓部に対応する位置に、前記磁気ディスクドライブ装置に設けられた磁気ヘッドが挿入可能な第２の開口部とを有し、小型磁気ディスクカートリッジを収納保持した状態で、該アダプターの基準面から小型磁気ディスクメディアの記録面までの距離を、前記大型磁気ディスクカートリッジの基準面から大型磁気ディスクメディアの記録面までの距離と等しく設定し、さらに、前記アダプターの基準面から小型磁気ディスクメディアのセンターコアチャッキング面までの距離を、前記大型磁気ディスクカートリッジの基準面から大型磁気ディスクメディアのセンターコアチャッキング面までの距離と等しく設定したことを特徴とするものである。
【００１１】
ここで、基準面とは、大型磁気ディスクカートリッジの場合は、当該カートリッジの下面、すなわち前記磁気ディスクドライブ装置に設けた回転駆動部材が挿入される側の面の表面である。また、小型磁気ディスクカートリッジの場合は、この小型磁気ディスクカートリッジが収納保持される前記アダプターの、前記磁気ディスクドライブ装置に設けた回転駆動部材が挿入される側の面の表面である。
【００１２】
【発明の効果】
上記のような本発明の磁気ディスクカートリッジ用アダプターによれば、大型磁気ディスクカートリッジと外形寸法が略一致し大型用の磁気ディスクドライブ装置に装填可能であり、このアダプターに小型磁気ディスクカートリッジを収納保持し、前記磁気ディスクドライブ装置に装填すると、アダプターには回転駆動部材挿入用の第１の開口部と磁気ヘッド挿入用の第２の開口部とを有することで、小型磁気ディスクカートリッジの磁気ディスクメディアが回転駆動されると共に磁気ヘッドによって直接記録再生が行え、互換性の確保によりケーブルの接続を不要として情報転送処理の操作性に優れ、迅速な処理を可能として小型磁気ディスクカートリッジの汎用性を高めることができる。
【００１３】
また、アダプターの収納部に小型磁気ディスクカートリッジを収納保持した状態において、基準面からの磁気ディスクメディア面またはセンターコアチャッキング面の距離を、大型磁気ディスクカートリッジでの基準面からの磁気ディスクメディア面またはセンターコアチャッキング面の距離と等しく設けたことにより、磁気ディスクドライブ装置による磁気ディスクメディアの回転駆動および磁気ヘッドによる記録再生が大型磁気ディスクカートリッジと同様に安定した動作が得られ、作動の信頼性を確保することができる。
【００１４】
【発明の実施の形態】
以下、図面に示す発明の実施の形態に基づいて本発明を詳細に説明する。図１は一例の小型磁気ディスクカートリッジおよびアダプターの外観斜視図である。なお、各図においては構造を明確にするため、各部の厚み等は実際の寸法とは異なる比率で示している。
【００１５】
アダプター１は、合成樹脂で成形された略平板状の本体２の平面的な外形および厚さが、汎用されている後述の図５に示す大型磁気ディスクカートリッジ５０と略一致して形成され、図示しない大型用磁気ディスクドライブ装置に挿入方向ｄにより挿入可能に設けられている。そして、前記アダプター１には、例えばデジタルカメラ等に装填される小型磁気ディスクカートリッジ３０を着脱可能に収納保持する収納部３が設けられている。この収納部３は、アダプター１の上面に、側面から中心部に向けて凹状に形成されている。
【００１６】
前述の大型磁気ディスクカートリッジ５０は、図５および図６に示すように、平板状ケース５２（ハードケース）内に、センターコア５３に保持された円盤状の磁気ディスクメディア５４が回転自在に収容され、その上下にライナー５８が介装されている。この磁気ディスクメディア５４は、フレキシブルなポリエステルシート等からなる円盤状のベースの片面または両面に磁性体層が形成されたものである。
【００１７】
前記ケース５２は２つのシェルハーフの内面が蓋合わせ状に固着されてなるものであり、このケース５２の前端面に磁気ヘッド挿入窓部５６が矩形状に設けられている。また、ケース５２下面の中心部には前記センターコア５３が露出する磁気ディスクメディア駆動用のセンターコア孔５７が円形状に開口されている。この大型磁気ディスクカートリッジ５０は、前端面を前方にした挿入方向Ｄにより磁気ディスクドライブ装置に挿入装填される。
【００１８】
ここで、上記大型磁気ディスクカートリッジ５０に内蔵された磁気ディスクメディア５４の記録面の位置は、ケース５２の下面を基準面として、この基準面からＨ１の高さに設定されていると共に、センターコア５３のチャッキング面（底面）の高さが基準面からＨ２の距離に設定されている（図６参照）。なお、前記磁気ディスクメディア５４の記録面の高さは、ケース５２の厚さ（全高）の中心より上方に偏位した位置に設定されると、磁気ディスクメディア５４の回転性の点で好ましい。
【００１９】
すなわち、前記磁気ディスクメディア５４は上方に偏位しているので、その回転により磁気ディスクメディア５４の上下で差圧が生じ、この差圧により常に磁気ディスクメディア５４には上方に押付力が付勢され、この押付力により磁気ディスクメディア５４のはたつき、振動が抑止されるのである。さらに、このような位置関係とすることで、小型磁気ディスクカートリッジ３０の収納適性も一層好ましいものとなる。これについては後述する。
【００２０】
さらに、上記ケース５２には、前記磁気ヘッド挿入窓部５６を開閉するために、挿入方向Ｄと直交する開閉方向に滑動自在とされたシャッター部材５９が組み付けられている。上記磁気ヘッド挿入窓部５６が開いた際に、磁気ヘッドが磁気ディスクメディア５４に対して挿入される。このシャッター部材５９は断面略コ字状に形成されたもので、該シャッター部材５９に窓部５９ａが設けられ、ケース５２の磁気ヘッド挿入窓部５６と連通可能である。
【００２１】
また、上記磁気ディスクカートリッジ５０を挿入するディスクドライブ装置は、図示していないが、奥部に磁気ヘッドを有すると共に、下方にはドライブユニットが設けられ、挿入された磁気ディスクカートリッジ５０の磁気ディスクメディア５４のセンターコア５３にドライブユニットの回転駆動部材（スピンドル）が係止して回転駆動し、磁気ヘッドが開作動したシャッター部材５９の窓部５９ａからケース５２の磁気ヘッド挿入窓部５６を通して磁気ディスクメディア５４の記録面に接近して記録再生を行うように構成されている。
【００２２】
一方、前記小型磁気ディスクカートリッジ３０の構造は、図１および図３に示すように、前記大型磁気ディスクカートリッジ５０のケース５２より厚さの薄い平板状ケース３２（ハードケース）内に、前記大型磁気ディスクカートリッジ５０の磁気ディスクメディア５４より径の小さい小型磁気ディスクメディア３４が内蔵されている。この磁気ディスクメディア３４は、センターコア３３に保持され回転自在に収容され、その上下にライナー３８が介装されている。この磁気ディスクメディア３４は、フレキシブルなポリエステルシート等からなる円盤状のベースの片面または両面に磁性体層が形成されたものである。
【００２３】
前記ケース３２は２つのシェルハーフの内面が蓋合わせ状に固着されてなるものであり、このケース３２の前端面から下面にかけて切り欠かれた磁気ヘッド挿入窓部３６が設けられている。また、ケース３２下面の中心部には前記センターコア３３が露出する磁気ディスクメディア駆動用のセンターコア孔３７が円形状に開口され、このセンターコア孔３７の上方のケース３２内面には下方に突出する円環状突起４０が形成され、センターコア３３の内側に挿入されて磁気ディスクメディア３４の半径方向の移動を規制している。
【００２４】
さらに、上記ケース３２には、前記磁気ヘッド挿入窓部３６を開閉するために、挿入方向ｄと直交する開閉方向に滑動自在とされたシャッター部材３９が組み付けられ、その摺動範囲のケース３２の表面には浅い摺動溝が形成されている。上記シャッター部材３９が開方向に移動して磁気ヘッド挿入窓部３６が開いた際に、磁気ヘッドが磁気ディスクメディア３４に対して挿入可能となる。
【００２５】
このシャッター部材３９は断面略コ字状に形成されたもので、ケース３２の前方のケース上面、前端面および下面を覆うように設けられ、摺動した際に該ケース３２の前端面から下面に開口する磁気ヘッド挿入窓部３６を開放するものである。
【００２６】
次に、前記アダプター１は、前記小型磁気ディスクカートリッジ３０を着脱可能に収納保持する収納部３を有すると共に、収納した小型磁気ディスクカートリッジ３０のセンターコア孔３７に対応する位置に開口し、前記磁気ディスクドライブ装置の回転駆動部材が挿入可能な第１の開口部５と、収納した前記小型磁気ディスクカートリッジ３０の磁気ヘッド挿入窓部３６に対応する位置に開口し、前記磁気ヘッドが挿入可能な第２の開口部６とを有し、小型磁気ディスクカートリッジ３０を収納した状態で前記磁気ディスクドライブ装置に装填して小型磁気ディスクカートリッジ３０の磁気ディスクメディア３４に磁気ヘッドによる記録再生を可能としている。
【００２７】
第１の開口部５は、収納部３の底面３ａの中心部に円形状に開口し、前述の大型磁気ディスクカートリッジ５０のセンターコア孔５７と同一位置に同一形状に開口されている。また、第２の開口部６は、本体２の前端面２ａの矩形状の開口から後方に収納部３に向けてトンネル状に形成され、後端部が収納部３の前面３ｂに開口している。この第２の開口部６における本体２の前端面２ａの開口形状は、少なくとも前記大型磁気ディスクカートリッジ５０の磁気ヘッド挿入窓部５６の開口形状と同一位置に同一形状に設けられている。
【００２８】
また、前記アダプター１の収納部３は、前記磁気ディスクドライブ装置への挿入装填方向ｄに対し直交する側面方向より前記小型磁気ディスクカートリッジ３０を挿入して収納保持するものであり、この収納部３には、小型磁気ディスクカートリッジ３０の挿入動作に応じて該小型磁気ディスクカートリッジ３０の磁気ヘッド挿入窓部３６を開閉するシャッター部材３９を開作動し、挿入完了状態で該シャッター部材３９を開状態に保持し、取出し動作に伴って前記シャッター部材３９を閉状態に作動するシャッター開閉手段としてのシャッター開閉凸部１１を備える。また、挿入される小型磁気ディスクカートリッジ３０を収納保持位置に案内するガイド手段としての保持凸部１２を有し、さらに、収納した小型磁気ディスクカートリッジ３０をセット位置に保持する脱落防止手段としての板バネ１４を有している。
【００２９】
具体的には、前記小型磁気ディスクカートリッジ３０の前端面には横方向に延びる凹溝４１が設けられ、後端面には横方向に延びる係止凸部４２が形成されている。一方、収納部３の前面３ｂには、第２の開口部６の一側部にシャッター開閉凸部１１が、反対側の他側部に保持凸部１２が、それぞれ横方向に延びて上記小型磁気ディスクカートリッジ３０の凹溝４１に係合可能に設けられている。また、上記シャッター開閉凸部１１は小型磁気ディスクカートリッジ３０の凹溝４１を通ってシャッター部材３９の一端部に係止可能であり、該小型磁気ディスクカートリッジ３０の収納部３への挿入時にこのシャッター部材３９に係止して開作動する。また、収納部３の後面３ｃには横方向に延びて、前記小型磁気ディスクカートリッジ３０の係止凸部４２と係合する保持凹部１３が設けられている。
【００３０】
上記小型磁気ディスクカートリッジ３０の前後面の凹溝４１および係止凸部４２と、収納部３の前後面のシャッター開閉凸部１１、保持凸部１２および保持凹部１３との係合により、アダプター１に対する小型磁気ディスクカートリッジ３０の挿入案内を行うと共に、小型磁気ディスクカートリッジ３０の磁気ディスクメディア３４を基準位置に保持する位置決め機能を有し、また、収納部３から上方への小型磁気ディスクカートリッジ３０の抜け止めを行い、さらに、前後で凹凸の形状が異なることで小型磁気ディスクカートリッジ３０の表裏前後方向の誤挿入防止機能を得ている。なお、小型磁気ディスクカートリッジ３０の挿入前側角部はテーパ案内面３２ａに形成され、アダプター１の収納部３への挿入が容易となるようにしている。
【００３１】
さらに、前記収納部３の底面３ａに脱落防止用に設けられた板バネ１４は、中間部に突起１４ａが設けられ、一端部が収納部３の底面３ａに固着され、他端部は自由状態で移動可能に設置されている。上記突起１４ａは両方向にテーパーが設けられ、この上を小型磁気ディスクカートリッジ３０が乗り越えるように設けられ、突起１４ａを乗り越えて所定位置にセットされた小型磁気ディスクカートリッジ３０をこの突起１４ａの一方の面で押さえて取出し方向への移動を阻止して脱落防止を行うもので、取出し時にはこの小型磁気ディスクカートリッジ３０を取出し方向に押すことで板バネ１４の突起１４ａを反対側に乗り越えて移動させるものである。
【００３２】
上記脱落防止手段としては、板バネ１４のほか出没可能な突起、爪等によって構成してもよく、また、その形成位置も収納部３の底面３ａの他、例えば収納部３の前面３ｂおよび後面３ｃの少なくとも一方に設けるようにしてもよい。
【００３３】
なお、前記アダプター１には前端面における第２の開口部６を開閉するシャッター部材１０が設置され、このシャッター部材１０は大型磁気ディスクカートリッジ５０において磁気ヘッド挿入窓部５６を開閉するシャッター部材５９に相当するもので、磁気ディスクドライブ装置に設置されているシャッター開閉機構によって同様に挿入動作に応じて開閉作動される。このシャッター部材１０の設置は省略してもよい。
【００３４】
前記アダプター１の小型磁気ディスクカートリッジ３０を収納保持した状態は図２に示すように、収納した小型磁気ディスクカートリッジ３０の磁気ディスクメディア３４の記録面の高さ方向の位置は、アダプター１の本体２の下面を基準面として、この基準面からＨ１の高さ即ち前述の大型磁気ディスクカートリッジ５０における磁気ディスクメディア５４の高さＨ１と同じになるように設定され、同様にセンターコア３３のチャッキング面（底面）の基準面からの高さＨ２も大型磁気ディスクカートリッジ５０におけるセンターコア５３の高さＨ２と同じになるように設定されている。
【００３５】
また、図３には大型磁気ディスクカートリッジ５０における磁気ディスクメディア５４の形状と小型磁気ディスクカートリッジ３０における磁気ディスクメディア３４の形状とを重ねて示したもので、両磁気ディスクメディア５４，３４におけるセンターコア５３，３３の形状は同一であり、磁気ディスクメディア５４，３４の外径のみが異なるように形成されている。
【００３６】
なお、前述のように大型磁気ディスクカートリッジ５０の磁気ディスクメディア５４の記録面の位置およびアダプター１に収納した小型磁気ディスクメディア３４の記録面の位置を、ケース５２または本体２の中心より上方に偏位して設定しているのは、小型磁気ディスクカートリッジ３０はケース３２の全高が薄いことで、その中心部に磁気ディスクメディア３４を配置して信頼性を確保し、この小型磁気ディスクカートリッジ３０をアダプター１の上面から凹状に形成した収納部３に保持させると、収納部３下方の厚み分だけ小型磁気ディスクメディア３４が本体２の中心から上方にずれることになり、これに対応して高さ方向に余裕のある大型磁気ディスクカートリッジ５０における磁気ディスクメディア５４を上方に偏位させて一致させるようにしたものである。
【００３７】
なお、アダプター１における収納部３の形態によっては、小型磁気ディスクメディア３４を本体２の中心位置に保持するように設定でき、この場合には上記のような大型磁気ディスクカートリッジ５０における磁気ディスクメディア５４の偏位は不要となる。
【００３８】
上記のようなアダプター１による作用を説明すれば、デジタルカメラ等の小型システムのドライブに装填して撮影画像等の情報を記録した小型磁気ディスクカートリッジ３０を、その画像情報等を加工処理するなどのために大型磁気ディスクカートリッジ５０を使用する磁気ディスクドライブ装置を備えたコンピュータ等に読み込ませる場合には、アダプター１の収納部３に対し前記小型磁気ディスクカートリッジ３０を側方からドライブへの挿入方向ｄと直交する方向に挿入して所定位置に収納保持する。この収納に伴って磁気ディスクメディア３４のセンターコア３３が収納部３の底面３ａの第１の開口部５に一致すると共に、小型磁気ディスクカートリッジ３０のシャッター部材３９がシャッター開閉凸部１１により連係して開作動されて磁気ヘッド挿入窓部３６が開放した状態で第２の開口部６に連通する。また、収納された小型磁気ディスクカートリッジ３０は本体２の底面（基準面）に対して所定位置に保持され、その磁気ディスクメディア３４の高さ方向の位置およびその回転中心は、大型磁気ディスクカートリッジ５０における磁気ディスクメディア５４の基準高さおよび中心位置に一致して保持されている。
【００３９】
このように小型磁気ディスクカートリッジ３０を収納したアダプター１を大型用磁気ディスクドライブ装置に装填すると、ドライブユニットの回転駆動部材（スピンドル）がアダプター１の第１の開口部５から小型磁気ディスクカートリッジ３０の磁気ディスクメディア３４のセンターコア３３にチャッキングされ、この磁気ディスクメディア３４を回転駆動すると共に、磁気ヘッドがアダプター１の第２の開口部６を通して小型磁気ディスクカートリッジ３０の磁気ディスクメディア３４の記録面に接近してこの磁気ディスクメディア３４に記録されている情報の読み出し、または加工後の情報の書き込み等の記録再生を直接行うものである。使用の終了したアダプター１は、磁気ディスクドライブ装置から取り出し、このアダプター１の収納部３から小型磁気ディスクカートリッジ３０を取り出すと、そのシャッター部材３９は閉状態に戻される。
【００４０】
前記のような実施の形態においては、アダプター１の収納部３に対する小型磁気ディスクカートリッジ３０の挿入方向を磁気ディスクドライブ装置への装填方向と直交する側面方向から行うように設けたことで、前述のような小型磁気ディスクカートリッジ３０のシャッター部材３９を自動的に開閉するシャッター開閉手段を簡易に構成できる点で有利で、位置決め脱落防止機構の作動も容易で信頼性を高めることができる。
【００４１】
さらに、前記アダプター１の収納部３の少なくとも底面３ａを面板部に構成していることで、小型磁気ディスクカートリッジ３０が多少変形した状態でセットされても、アダプター１により独立して作動可能であり、大型システムの磁気ディスクドライブ装置に挿入する際に破損などの恐れがなく、高い信頼性を確保することができる。
【図面の簡単な説明】
【図１】本発明の一例の実施の形態による磁気ディスクカートリッジ用アダプターおよび小型磁気ディスクカートリッジを示す外観斜視図
【図２】アダプターに小型磁気ディスクカートリッジを収納保持した状態の要部断面図
【図３】大型磁気ディスクカートリッジの磁気ディスクメディアと小型磁気ディスクカートリッジの磁気ディスクメディアとを平面的に重ね合わせて示した説明図
【図４】図１のＡ−Ａに沿う小型磁気ディスクカートリッジの断面図
【図５】大型磁気ディスクカートリッジの外観斜視図
【図６】図５のＢ−Ｂ断面図
【符号の説明】
１    アダプター
２    本体
３    収納部
３ａ    底面
５    第１の開口部
６    第２の開口部
３０    小型磁気ディスクカートリッジ
５０    大型磁気ディスクカートリッジ
３２    ケース
３３，５３      センターコア
３４，５４      磁気ディスクメディア
３６，５６      磁気ヘッド挿入窓部
３７，５７      センターコア孔
３９，５９      シャッター部材
【図１】
0003618500.tif 000002
【図２】
0003618500.tif 000003
【図３】
0003618500.tif 000004
【図４】
0003618500.tif 000005
【図５】
0003618500.tif 000006
【図６】
0003618500.tif 000007